(57)【要約】【課題】容器本体の口部に、びんパッキンを介在させて肩部材を装着する液体容器において、容器本体と肩部材の間に汚れが溜まりにくくするとともに、びんパッキンが誤って引き抜かれないようにする。【解決手段】容器本体２の口部2aに装着する、断面略倒Ｕ字状のびんパッキン３は、内周辺3aの下端を肩部材４の内周壁６下端と同一もしくは下方に突出させ、汚れが付着する空間が形成されないようにする。びんパッキンの厚みは、上辺3bの厚みＴを組立状態における、容器本体２上端部内周面と肩部材４の内周壁６の外周面との隙間寸法Ｘよりも大きく形成する。これにより、肩部材４の内周壁６の下端から突出する突出部10が引っ張られることがあっても、びんパッキンの上辺3bは抜け出すことができない。【選択図】  図３
2014097802.tif 000002
【特許請求の範囲】
【請求項１】
環状であって、断面略倒Ｕ字状のびんパッキン装置した容器本体の口部を、上壁と内周壁と外周壁とで構成される肩部材の溝に挿入し、びんパッキンの上辺を、前記容器本体の上端部の上面と前記肩部材の上壁の下面とに密着させることによって液漏れを防止する液体容器のびんパッキン構造において、
前記びんパッキンの内周辺下端を前記肩部材の内周壁下端と同一もしくは下方に突出させるとともに、前記びんパッキンの上辺の厚み寸法を、組立状態における前記容器本体の上端部内周面と、前記肩部材の内周壁外周面との隙間寸法よりも大きく形成したことを特徴とする液体容器のびんパッキン構造。
【請求項２】
前記びんパッキンの内周辺内周面に、前記肩部材の内周壁外周面と密接する環状突起を形成したことを特徴とする請求項１記載の液体容器のびんパッキン構造。
【請求項３】
前記びんパッキンの内周辺下端に、前記肩部材の内周壁下端よりも突出する突出部を形成し、該突出部が前記肩部材の内周壁外周面と前記容器本体の内周面との間で挟持されることを特徴とする請求項１又は２記載の液体容器のびんパッキン構造。
【請求項４】
前記びんパッキンの突出部は、先太形状であることを特徴とする請求項３記載の液体容器のびんパッキン構造。
【発明の詳細な説明】
【技術分野】
【０００１】
本発明は、主として金属製真空二重びんなどの容器本体の口部に、肩部材を装着する液体容器であって、容器本体と肩部材との水密状態を維持するびんパッキン構造に関する発明である。
【背景技術】
【０００２】
金属製真空二重びんを用いる液体容器では、環状であって断面略倒Ｕ字状のびんパッキンを装着した容器本体の口部を、
上壁と内周壁と外周壁とで構成される肩部材の溝に挿入し、びんパッキンの上辺を、容器本体の上端部の上面と肩部材の上壁下面とで密着させることによって液漏れを防止するパッキン構造を構成している。
特許文献１の図２や、特許文献２の図１には、断面略倒Ｕ字状のびんパッキンを装着した液体容器が開示されている。
【先行技術文献】
【特許文献】
【０００３】
【特許文献１】特開２０１２−１７０５２６号公報（図２）
【特許文献２】特開平１０−３０４９８３号公報（図１）
【発明の概要】
【発明が解決しようとする課題】
【０００４】
特許文献１の図２に記載された液体容器１では、図５に示すように、金属製真空二重びんである容器本体２の口部2aにびんパッキンが装着されている。図５に示す肩部材４の溝５内に挿入される断面略倒Ｕ字状のびんパッキン３は、その内周辺3aの長さが比較的短く、びんパッキン内周辺3aの下方に、容器本体１内周面と肩部材４の内周壁６の外周面の間に空間Ａが形成される構造である。このような構造であると、前記空間Ａに液体が入り込み汚れが溜まり易く、また、洗浄が困難であるという欠点があった。
【０００５】
特許文献２の図１には、明瞭ではないがびんパッキンの内周辺が肩部材の内周壁の下端より突出しているびんパッキンの形状が記載されている。びんパッキンの内周辺が肩部材の内周壁の下端よりも突出していると、肩部材と容器本体の間の空間に汚れが溜まるという前記欠点を解消することができるが、びんパッキンの突出部分に何らかの理由で引っ張り力が作用する、例えばお手入れ中に誤ってびんパッキンの突出部を引っ張るようなことがあると、びんパッキンが抜け出してしまう可能性があった。びんパッキンが抜け出してしまうと液体容器として修復できない。
【０００６】
上記従来技術の欠点に鑑み、本発明は容器本体の内周面と肩部材の内周壁との間に狭い空間を発生させないで、汚れが溜まりにくい構造とするとともに、容器本体の内周面と肩部材の内周壁との間から突出するびんパッキンの突出部分が引っ張られるようなことがあっても、びんパッキンが抜け出さない構造を実現することを目的とするものである。また、別の目的は、より水密性に優れたびんパッキン構造を実現することである。
【課題を解決するための手段】
【０００７】
上記目的を達成する本発明は、環状であって、断面略倒Ｕ字状のびんパッキン３を装着した容器本体２の口部2aを、上壁７と内周壁６と外周壁８とで構成される肩部材４の溝５に挿入し、びんパッキン３の上辺3bを、容器本体２の上端部2dの上面と肩部材の上壁７の下面とに密着させることによって液漏れを防止する。
上記びんパッキン構造において、請求項１記載の発明は、びんパッキン３の内周辺3a下端を肩部材４の内周壁６下端と同一もしくは下方に突出させるとともに、びんパッキン３の上辺3bの厚み寸法Ｔを、組立状態における容器本体２の上端部2d内周面と肩部材４の内周壁６外周面との隙間寸法Ｘよりも大きく形成したことを特徴とする液体容器のびんパッキン構造である。
【０００８】
請求項２記載の発明は、びんパッキン３の内周辺3a内周面に、肩部材４の内周壁６外周面と密接する環状突起９を形成することである。
請求項３記載の発明は、びんパッキン３の内周辺3a下端部に、肩部材４の内周壁６下端よりも突出する突出部10を形成し、この突出部10を肩部材内周壁６外周面と容器本体２の内周面との間で挟持させることである。
請求項４記載の発明は、びんパッキン３の突出部10を、先太形状とすることである。
【発明の効果】
【０００９】
請求項１記載の発明によれば、びんパッキン３の内周辺3a下端を肩部材４の内周壁６下端と同一もしくは下方に突出させるため、肩部材の内周壁６外周面と容器本体２の内周面の間であって、びんパッキン３の下方に、奥まった狭い空間が形成されることがないため、特許文献１に記載されているような従来のびんパッキン構造のように、汚れが溜まることがなくお手入れ性が改善される。
【００１０】
さらに、びんパッキン３の上辺3bの厚み寸法Ｔを、組立状態における容器本体２の上端部内面と肩部材４の内周壁６外周面との隙間寸法Ｘよりも大きく形成したため、例えば肩部材４の内周壁６と容器本体２の間から突出しているびんパッキン３の内周辺3aを、誤って引っ張るようなことがあっても、びんパッキン３の上辺3bが肩部材４の内周壁６外周面と容器本体２の上端部内周面との隙間を通過することができない。すなわち、びんパッキン３は肩部材４の内周壁６外周面と、容器本体２の内周面の間から抜け出すことがない。
【００１１】
請求項２記載の発明によれば、請求項１記載の発明の効果に加え、びんパッキン３の内周辺3a内周面に形成した環状突起９が、肩部材４の内周壁６外周面と密接することによってびんパッキンとしての水密性を向上させることができる。環状突起９は、びんパッキンの内周辺3aの下端ではなく内周面に形成しているため、肩部材４の内周壁６外周面の全周にわたって均等に密接し、確実にシールされる。
【００１２】
請求項３記載の発明によれば、肩部材４の内周壁６下端から突出する、びんパッキン３の内周辺3aの突出部10を、肩部材の内周壁６外周面と容器本体２の内周面との間で挟持させることによって、パッキン３の内周辺3aの突出部10を誤って引っ張るのを防止することができる。すなわち、パッキン３の突出部10を挟持させることによってこの部分がしっかりと安定し、同時にパッキンとしての水密性をより一層向上させることができる。
また、突出部10が挟持されていることによって、突出部分を誤って押し込んでしまうこともない。
請求項４記載の発明によれば、突出部10を先太形状とすることによって、突出部10が内奥に押し込まれることがない。また、突出部10は、肩部材の内周壁６下端と容器本体２の口部2a内周面との間で確実に挟持され、該部分のシール性を向上させる。
【図面の簡単な説明】
【００１３】
【図１】図１は、液体容器の上半部の縦断面図、
【図２】図２は、容器本体、びんパッキン、肩部材を分離させた状態及び組み立てた状態の縦断面図、
【図３】図３は、容器本体と肩部材を組み立てた状態の、びんパッキン装着部分のみの拡大断面図、
【図４】図４は、一部を拡大表示したびんパッキンの縦断面図、
【図５】図５は、一部を拡大表示した、従来の液体容器の一例を示す縦断面図。
【発明を実施するための形態】
【００１４】
以下、本発明に係る液体容器のびんパッキン構造の実施形態を添付の図面に基づいて説明する。
図１は、本発明の実施形態を示す液体容器の縦断面図である。図１に示す液体容器１は、金属製真空二重びんである容器本体２の上部に肩部材４を装着し、肩部材４には、開閉自在のキャップ12を備えた蓋体11を螺着している。キャップ12は、後端部を支持軸14によって軸支されてバネによって開方向に付勢されており、前端部が開閉操作片13で係止されている。蓋体11には、注ぎ口15を取りつけ、キャップ12に装着した注ぎ口パッキン16によって、キャップを閉じたときに注ぎ口15も密閉できるようにしている。
【００１５】
図２（ａ）に示すように、容器本体２に装着する肩部材４は、全体として筒状であるとともに、その上端部には、容器本体２の口部2aを挿入支持するための溝５を形成している。すなわち、筒状である肩部材４の上端部に、外周壁８と、外周壁から内方に向けた上壁７と、上壁７から下方に延長した内周壁６によって溝５を形成している。
【００１６】
容器本体２は、内びん2bと外びん2cの開口部を接合して口部2aとし、該口部2aに断面略倒Ｕ字状のびんパッキン３を装着し、びんパッキン３を装着した口部2aを前記肩部材４の溝５に挿入し、びんパッキン３の上辺3bを、容器本体２の上端部2dと肩部材４の上壁７の下面とに密着させることによって液漏れを防止する液体容器のびんパッキン構造を形成している。
容器本体２と肩部材４は、肩部材４内周面の嵌合凸部18と、容器本体２の外表面嵌合凹部19が嵌合し、一体的に固定される。
【００１７】
肩部材４の溝５は、少なくともびんパッキン３を装着した容器本体２の口部2aを挿入することができる幅であればよいが、図示実施形態の肩部材では、溝５を広く形成し、外周壁８の内周面に縦方向に多数のリブを形成している。このような構造であると、縦方向のリブ17、17がガイドとして機能するため、滑り難いびんパッキン３を装着した容器本体２の口部2aを、肩部材４の溝５に容易に挿入することができる。
【００１８】
弾性材料で成型されるびんパッキン３は、図３に示すように内周辺3aと、上辺3bと、外周辺3cが連続する断面略倒Ｕ字状であって、内周辺3aの内周面に環状突起９を設けるとともに、内周辺3aの下端に突出部10を形成している。びんパッキン３の厚みは、内周辺3aは外周辺3cよりも薄く形成し、上辺3bの厚みＴを最も大きな厚みに形成している。比較的薄肉である内周辺3aの内周面には、先丸の断面形状で突出する環状突起９を形成している。
【００１９】
図３は、容器本体２の口部2aにびんパッキン３を装着し、肩部材４の溝５に挿入して組み立てた状態である。この組立状態において、びんパッキン３の上辺3bの厚みＴは、容器本体２口部の内周面と肩部材４内周壁６の外周面との間隔Ｘよりも大きな寸法としている。図４に示す内周辺3aの厚みｔは、図３の間隔Ｘよりも薄いものであるとともに、環状突起９の先端までの寸法Ｙ（図４参照）は、間隔Ｘより大となるように形成している。
【００２０】
上記構成とすることによって、びんパッキン３の環状突起９は、肩部材４の内周壁６の外周面に弾性的に密着し、確実なシール機能を発揮する。
肩部材４の内周壁６の下方には、びんパッキン３の突出部10が突出する。本発明に係るびんパッキンでは、使用者が誤ってびんパッキン３の突出部10を引っ張っても、びんパッキン３の厚みＴである上辺3b部分が、間隔Ｘである容器本体２の口部2a内周面と肩部材内周壁６の外周面の間を通過することができないため、びんパッキン３を器外に抜き出すことができない。
【００２１】
図示実施形態においては、びんパッキン３の内周辺3a下端部に形成される突出部10は、先方が膨らむ断面略三角形の先太形状としている。すなわち、突出部10の下面10aを容器本体２内面の傾斜角度に、突出部10の上面10bを水平方向に、突出部10の内周面10cを垂直から僅かに傾斜する傾斜面に形成している。
図４に示すように、びんパッキン３の突出部を除く内周辺3aの高さＨは、肩部材４の内周壁６の外周面の高さとほぼ等しい寸法、具体的には僅かに短い寸法とし、緊張状態に装着することができるようにしている。
【００２２】
図３に示すように、上記構造のびんパッキン３を、容器本体２の口部2aに装着して肩部材４に組み立てると、びんパッキン２の環状突起９は、肩部材４との組み合わせによって、点線で示す形状が実線で示す形状に変形し、肩部材４の内周壁６外周面に密着する。
同時に、肩部材の内周壁６の下端で、膨大部すなわち先太形状としたびんパッキン３の突出部10を押圧し、点線で示す突出部10の形状が押し潰されて実線で示す形状に圧縮される。すなわち、突出部10は圧縮変形された状態で、容器本体２の内周面と肩部材の内周壁６下端で挟持される。
【００２３】
先太形状である突出部10が、図示例のように肩部材の内周壁６の下端と容器本体２の、傾斜している内周面の間に挟持されると、圧縮されているびんパッキンの弾性によって密着して、該部分を確実にシールする。また、先太形状である突出部10が挟持されることによって内方に向けて移動することがなく、突出部10が内奥に押し込まれることがない。
【符号の説明】
【００２４】
１…液体容器、  ２…容器本体、  2a…口部、  2b…内びん、  2c…外びん、  2d…上端部、  ３…びんパッキン、  3a…内周辺、  3b…上辺、  3c…外周辺、  ４…肩部材、  ５…溝、  ６…内周壁、  ７…上壁、  ８…外周壁、９…環状突起、  10…突出部、  10a…下面、  10b…上面、  10c…内周面、  11…蓋体、  12…キャップ、  13…開閉操作片、  14…支持軸、  15…注ぎ口、  16…注ぎ口パッキン、  17…リブ、  18…嵌合凸部、  19…嵌合凹部。
【図１】
2014097802.tif 000003
【図２】
2014097802.tif 000004
【図３】
2014097802.tif 000005
【図４】
2014097802.tif 000006
【図５】
2014097802.tif 000007